(57)【要約】【課題】保管場所および使用場所の事業所での臨時取替え作業の運用管理を行うための移動用機器の運用・管理システムとその方法を提供する。【解決手段】移動用機器の使用計画データ、移動用機器に関する履歴データ、および移動用機器の機器更新計画データを格納した第１のデータ処理装置と、保管場所の各事業所に保管されている移動用機器の保管状況データを格納した第２のデータ処理装置と、使用場所の各事業所で使用されている移動用機器の作業記録データを格納した第３のデータ処理装置とを備え、第１のデータ処理装置が、移動用機器の配送指示データと機器の更新指示データとを、第２および第３のデータ処理装置へ指令する。【選択図】図１
2005284794.tif 000002
【特許請求の範囲】
【請求項１】
使用場所の事業所で使用されている電力用機器を、保管場所の事業所に保管されている移動用機器で置換して、前記電力用機器に関する故障、保守、点検または修理のための臨時取替え作業を行う運用管理を、運用管理所において行うための移動用機器の運用・管理システムであって、
前記使用場所の各事業所に設置された前記電力用機器に関する前記臨時取替え作業を行うための前記移動用機器の使用計画データ、前記移動用機器に関する履歴データ、および前記移動用機器の機器更新計画データを格納した第１のデータ処理装置と、
前記保管場所の各事業所に保管されている前記移動用機器の保管状況を示す保管状況データを格納した第２のデータ処理装置と、
前記使用場所の各事業所で使用されている前記移動用機器の運用状況を示す作業記録データを格納した第３のデータ処理装置とを備え、
前記第１のデータ処理装置が、前記使用場所の各事業所からの前記移動用機器の使用要求に対して、前記使用計画データおよび、前記保管状況データと前記作業記録データとで更新されている前記移動用機器に関する履歴データに基づいて、前記使用計画データを更新して格納し、且つ更新された前記使用計画データと前記移動用機器の配送指示データとを、前記第２のデータ処理装置と前記第３のデータ処理装置とへ指令し、
且つ前記機器更新計画データを、前記機器更新計画データおよび、前記保管状況データと前記作業記録データとで更新されている前記移動用機器に関する履歴データに基づいて更新して格納し、且つ更新された機器更新計画データと前記移動用機器の更新指示データとを、前記第２のデータ処理装置と前記第３のデータ処理装置とへ指令することを特徴とする移動用機器の運用・管理システム。
【請求項２】
請求項１に記載の移動用機器の運用・管理システムにおいて、
前記第１乃至第３のデータ処理装置はそれぞれ通信手段を具備し、該通信手段を介して相互に通信が可能となっていることを特徴とする移動用機器の運用・管理システム。
【請求項３】
請求項１に記載の移動用機器の運用・管理システムにおいて、
前記第３のデータ処理装置は、
前記更新された前記使用計画データと、前記移動用機器の前記配送指示データと、前記更新された前記機器更新計画データと、前記移動用機器の前記更新指示データとを受信し、且つ前記臨時取替え作業を実施することで生じた機器の調整あるいは修理内容を含む現状の運用状況データをもとに前記作業記録データを作成して格納し、且つ作成された前記作業記録データを前記第１および前記第２のデータ処理装置へ送信することを特徴とする移動用機器の運用・管理システム。
【請求項４】
請求項１に記載の移動用機器の運用・管理システムにおいて、
前記第２のデータ処理装置は、
前記更新された前記使用計画データと、前記移動用機器の前記配送指示データと、前記更新された前記機器更新計画データと、前記移動用機器の前記更新指示データとを受信し、且つ前記保管状況データを、定期保守点検データおよび受信した前記運用状況データで更新して格納し、且つ更新された前記保管状況データを前記第１および前記第３のデータ処理装置へ送信することを特徴とする移動用機器の運用・管理システム。
【請求項５】
請求項１に記載の移動用機器の運用・管理システムにおいて、
前記第１のデータ処理装置は、
前記移動用機器に関する履歴データを、受信した前記保管状況データおよび前記作業記録データを基に更新して格納することを特徴とする移動用機器の運用・管理システム。
【請求項６】
請求項１に記載の移動用機器の運用・管理システムにおいて、
前記移動用機器には、ＩＣタグが装着されていることを特徴とする移動用機器の運用・管理システム。
【請求項７】
請求項１に記載の移動用機器の運用・管理システムにおいて、
前記移動用機器は、ＧＰＳ装置を内蔵することを特徴とする移動用機器の運用・管理システム。
【請求項８】
請求項１に記載の移動用機器の運用・管理システムにおいて、
前記使用計画データの修正が、前記使用場所の事業所と前記保管場所の事業所との間の道路情報を加味して行われることを特徴とする移動用機器の運用・管理システム。
【請求項９】
使用場所の事業所で使用されている電力用機器を、保管場所の事業所に保管されている移動用機器で置換して、前記電力用機器に関する故障、保守、点検または修理のための臨時取替え作業を行う運用管理を、運用管理所において行うための移動用機器の運用・管理方法であって、
前記使用場所の各事業所で使用された前記移動用機器の運用状況を示す作業記録データを格納した第３のデータ処理装置が、前記使用場所の各事業所に設置された前記電力用機器に関する前記臨時取替え作業を行うための前記移動用機器の使用計画データ、前記移動用機器に関する履歴データ、および前記移動用機器の機器更新計画データを格納した第１のデータ処理装置に、前記移動用機器の使用要求をするステップと、
前記第１のデータ処理装置が、前記使用計画データを、前記使用場所の各事業所からの前記移動用機器の使用要求データ、および前記保管状況データと前記作業記録データとで更新されている前記移動用機器に関する履歴データに基づいて更新して格納し、且つ更新された前記使用計画データと前記移動用機器の配送指示データとを、前記保管場所の各事業所に保管されている前記移動用機器の保管状況を示す保管状況データを格納した第２のデータ処理装置と前記第３のデータ処理装置とへ送信するステップと、
前記第２のデータ処理装置と前記第３のデータ処理装置とが、前記使用計画データと前記移動用機器の配送指示データとを受信し、前記配送指示に従って配送処理を行うステップと、
前記第３のデータ処理装置が、配送された前記移動用機器を受け取り、点検を完了したことを通知する返信ステップと、
前記第３のデータ処理装置が、前記臨時取替え作業を実施することで生じた機器の調整あるいは修理内容を含む現状の運用状況データをもとに前記作業記録データを作成して格納し、且つ作成された前記作業記録データを前記第１および前記第２のデータ処理装置へ送信するステップと、
前記第２のデータ処理装置が、前記保管状況データを、定期保守点検データおよび受信した前記作業記録データで更新して格納し、且つ更新された前記保管状況データを前記第１および前記第３のデータ処理システムへ送信するステップと
前記第１のデータ処理システムが、前記移動用機器の関する履歴データを、受信した前記保管状況データおよび前記作業記録データをもとに更新して格納し、且つ更新された前記移動用機器の関する履歴データをもとに前記機器更新計画データを更新して格納するステップと、
さらに前記第１のデータ処理システムが、更新された前記機器更新計画データにもとづき、機器の更新指示データを前記第２のデータ処理装置あるいは前記第３のデータ処理装置へ送信するステップから成ることを特徴とする移動用機器の運用・管理方法。
【発明の詳細な説明】
【技術分野】
【０００１】
本発明は、使用場所の事業所で使用されている電力用機器を、保管場所の事業所に保管されている移動用機器で置換して、前記電力用機器に関する故障、保守、点検または修理のための臨時取替え作業を行う運用管理を、運用管理所において行うための移動用機器の運用・管理システムとその方法に関する。
【背景技術】
【０００２】
従来において、移動用機器の使用計画の立案、変更調整は、保管場所の事業所と使用場所の事業所が行い、運用管理所で最終調整が行われてきた。図２は、移動用機器の使用計画立案、変更の手続を示す手続ルート図である。この方法によると、移動用機器の保守状況や保管場所に関する情報が一元化されていないため、電力用機器の取替えに必要な移動用機器の使用計画書の立案、変更に時間を要する問題があった。さらに、作業遅れにより使用予定時期までに対応が付かない、一箇所以上で同じ機器の利用を予定するダブルチャージが発生する、対応機種が見つからず手配が遅れる、配送されてきた機器のメンテナンスが悪くて性能が出ない、あるいは老朽化している、さらには部分的にスペックが合わないなどの問題があった。
【発明の開示】
【発明が解決しようとする課題】
【０００３】
本発明は、このような問題を解決するためになされたものであり、その目的は、移動用機器の使用計画および機器更新計画を一元的に行って、保管場所および使用場所の事業所間でのトラブルの発生を防ぎ、安全で迅速な臨時取替え作業が実施できる運用管理を行うための移動用機器の運用・管理システムとその方法を提供する。
【課題を解決するための手段】
【０００４】
本発明の移動用機器の運用・管理システムは、使用場所の事業所で使用されている電力用機器を、保管場所の事業所に保管されている移動用機器で置換して、前記電力用機器に関する故障、保守、点検または修理のための臨時取替え作業を行う運用管理を、運用管理所において行うための移動用機器の運用・管理システムであって、
前記使用場所の各事業所に設置された前記電力用機器に関する前記臨時取替え作業を行うための前記移動用機器の使用計画データ、前記移動用機器に関する履歴データ、および前記移動用機器の機器更新計画データを格納した第１のデータ処理装置と、
前記保管場所の各事業所に保管されている前記移動用機器の保管状況を示す保管状況データを格納した第２のデータ処理装置と、
前記使用場所の各事業所で使用されている前記移動用機器の運用状況を示す作業記録データを格納した第３のデータ処理装置とを備え、
前記第１のデータ処理装置が、前記使用場所の各事業所からの前記移動用機器の使用要求に対して、前記使用計画データおよび、前記保管状況データと前記作業記録データとで更新されている前記移動用機器に関する履歴データに基づいて、前記使用計画データを更新して格納し、且つ更新された前記使用計画データと前記移動用機器の配送指示データとを、前記第２のデータ処理装置と前記第３のデータ処理装置とへ指令し、
且つ前記機器更新計画データを、前記機器更新計画データおよび、前記保管状況データと前記作業記録データとで更新されている前記移動用機器に関する履歴データに基づいて更新して格納し、且つ更新された機器更新計画データと前記移動用機器の更新指示データとを、前記第２のデータ処理装置と前記第３のデータ処理装置とへ指令することを特徴とする。
【０００５】
本発明の移動用機器の運用・管理システムは、前記移動用機器の運用・管理システムにおいて、
前記第１乃至第３のデータ処理装置はそれぞれ通信手段を具備し、該通信手段を介して相互に通信が可能となっていることを特徴とする。
【０００６】
本発明の移動用機器の運用・管理システムは、前記移動用機器の運用・管理システムにおいて、
前記第３のデータ処理装置は、
前記更新された前記使用計画データと、前記移動用機器の前記配送指示データと、前記更新された前記機器更新計画データと、前記移動用機器の前記更新指示データとを受信し、且つ前記臨時取替え作業を実施することで生じた機器の調整あるいは修理内容を含む現状の運用状況データをもとに前記作業記録データを作成して格納し、且つ作成された前記作業記録データを前記第１および前記第２のデータ処理装置へ送信することを特徴とする。
【０００７】
本発明の移動用機器の運用・管理システムは、前記移動用機器の運用・管理システムにおいて、
前記第２のデータ処理装置は、
前記更新された前記使用計画データと、前記移動用機器の前記配送指示データと、前記更新された前記機器更新計画データと、前記移動用機器の前記更新指示データとを受信し、且つ前記保管状況データを、定期保守点検データおよび受信した前記運用状況データで更新して格納し、且つ更新された前記保管状況データを前記第１および前記第３のデータ処理装置へ送信することを特徴とする。
【０００８】
本発明の移動用機器の運用・管理システムは、前記移動用機器の運用・管理システムにおいて、
前記第１のデータ処理装置は、
前記移動用機器に関する履歴データを、受信した前記保管状況データおよび前記作業記録データを基に更新して格納することを特徴とする。
【０００９】
本発明の移動用機器の運用・管理システムは、前記移動用機器の運用・管理システムにおいて、
前記移動用機器には、ＩＣタグが装着されていることを特徴とする。
【００１０】
本発明の移動用機器の運用・管理システムは、前記移動用機器の運用・管理システムにおいて、
前記移動用機器は、ＧＰＳ装置を内蔵することを特徴とする。
【００１１】
本発明の移動用機器の運用・管理システムは、前記移動用機器の運用・管理システムにおいて、
前記使用計画データの修正が、前記使用場所の事業所と前記保管場所の事業所との間の道路情報を加味して行われることを特徴とする。
【００１２】
本発明の移動用機器の運用・管理方法は、使用場所の事業所で使用されている電力用機器を、保管場所の事業所に保管されている移動用機器で置換して、前記電力用機器に関する故障、保守、点検または修理のための臨時取替え作業を行う運用管理を、運用管理所において行うための移動用機器の運用・管理方法であって、
前記使用場所の各事業所で使用された前記移動用機器の運用状況を示す作業記録データを格納した第３のデータ処理装置が、前記使用場所の各事業所に設置された前記電力用機器に関する前記臨時取替え作業を行うための前記移動用機器の使用計画データ、前記移動用機器に関する履歴データ、および前記移動用機器の機器更新計画データを格納した第１のデータ処理装置に、前記移動用機器の使用要求をするステップと、
前記第１のデータ処理装置が、前記使用計画データを、前記使用場所の各事業所からの前記移動用機器の使用要求データ、および前記保管状況データと前記作業記録データとで更新されている前記移動用機器に関する履歴データに基づいて更新して格納し、且つ更新された前記使用計画データと前記移動用機器の配送指示データとを、前記保管場所の各事業所に保管されている前記移動用機器の保管状況を示す保管状況データを格納した第２のデータ処理装置と前記第３のデータ処理装置とへ送信するステップと、
前記第２のデータ処理装置と前記第３のデータ処理装置とが、前記使用計画データと前記移動用機器の配送指示データとを受信し、前記配送指示に従って配送処理を行うステップと、
前記第３のデータ処理装置が、配送された前記移動用機器を受け取り、点検を完了したことを通知する返信ステップと、
前記第３のデータ処理装置が、前記臨時取替え作業を実施することで生じた機器の調整あるいは修理内容を含む現状の運用状況データをもとに前記作業記録データを作成して格納し、且つ作成された前記作業記録データを前記第１および前記第２のデータ処理装置へ送信するステップと、
前記第２のデータ処理装置が、前記保管状況データを、定期保守点検データおよび受信した前記作業記録データで更新して格納し、且つ更新された前記保管状況データを前記第１および前記第３のデータ処理システムへ送信するステップと
前記第１のデータ処理システムが、前記移動用機器の関する履歴データを、受信した前記保管状況データおよび前記作業記録データをもとに更新して格納し、且つ更新された前記移動用機器の関する履歴データをもとに前記機器更新計画データを更新して格納するステップと、
さらに前記第１のデータ処理システムが、更新された前記機器更新計画データにもとづき、機器の更新指示データを前記第２のデータ処理装置あるいは前記第３のデータ処理装置へ送信するステップから成ることを特徴とする。
【発明の効果】
【００１３】
本発明の移動用機器の運用・管理システムによれば、保管場所および使用場所の事業所間でのトラブルの発生を防ぎ、安全で迅速な臨時取替え作業が実施できる運用管理を行うための移動用機器の運用・管理システムが実現できる。
【発明を実施するための最良の形態】
【００１４】
本発明による、移動用機器の運用・管理システムの実施の形態について、図１を用いて説明する。図１は、本発明の移動用機器の運用・管理システムの構成を示すブロック図である。運用管理所データ処理装置１と保管場所事業所データ処理装置２と使用場所事業所データ処理装置３とは、データ通信網４を介して、お互いに接続されている。運用管理所データ処理装置１は、運用管理所サーバ１１と運用管理所メモリ１２と運用管理所端末１３とで構成される。保管場所事業所データ処理装置２は、保管場所サーバ２１と保管場所メモリ２２と複数の保管場所端末、例えば保管場所端末Ａ〜Ｄとから構成される。使用場所事業所データ処理装置３は、使用場所サーバ３１と使用場所メモリ３２と複数の使用場所端末、例えば使用場所端末Ａ〜Ｄとから構成される。
【００１５】
例えば今、使用場所事業所データ処理装置３の使用場所端末Ａ,３３aが、使用場所サーバ３１に、移動用機器の使用要求を、データ通信網４を介して行わせる。運用管理所データ処理装置１の運用管理所サーバ１１は、受信した移動機器の使用要求と、運用管理メモリ１２から読み出した使用計画書データおよび移動機器に関する履歴データとに基づいて移動用機器の使用計画データを更新して格納する。さらに、更新された使用計画データと移動機器の配送指示データを第２のデータ処理装置２と第３のデータ処理装置３へ送信する。
【００１６】
この場合の配送指示データは、使用場所の事業所と保管場所の事業所との間の道路情報を加味して行われる使用計画データの修正結果を反映している。従って、配送指示が保管場所の事業所、例えば保管場所端末Ａ,２３ａであるとすると、配送指示データは更新された使用計画データと共に、保管場所事業所データ処理装置２へ送信され、保管場所事業所データ処理装置２の保管場所サーバ２１により、保管場所メモリ２２に記憶されると共に、保管場所端末Ａ,２３ａへ表示される。保管場所端末Ａ,２３ａは、配送される移動用機器の保管状況データを使用場所端末Ａ，３３ａへ送信し、配送の手続きを行う。また、使用計画データの修正結果から保管場所ではなく、作業終了直後の使用場所の移動用機器を直接配送する方が良い場合が生じる。例えば使用場所端末Ｄ，３３ｄであったとすると、この場合も同様に、配送指示データは更新された使用計画データと共に、使用場所事業所データ処理装置３へ送信され、使用場所事業所データ処理装置３の使用場所サーバ３１により、使用場所メモリ３２に記憶されると共に、使用場所端末Ｄ,３３ｄへ表示される。使用場所端末Ｄ,３３ｄは、配送される移動用機器の作業記録データを使用場所端末Ａ，３３ａへ送信し、配送の手続きを行う。
【００１７】
使用場所端末Ａ，３３ａは、保管場所端末Ａ,２３ａから配送された移動用機器を、受信した保管状況データをもとに点検し、結果を保管場所端末Ａ,２３ａへ送信する。移動用機器が、使用場所端末Ｄ,３３ｄから配送された場合も同様に、受信した作業記録データをもとに点検し、結果を使用場所端末Ｄ，３３ｄへ送信する。
【００１８】
電力用機器に関する故障、保守、点検または修理のための臨時取替え作業が終了すると、使用場所端末Ａ，３３ａは、作業を実施することで生じた移動用機器の調整あるいは修理内容を含む現状の運用状況データをもとに、作業記録データを作成し、格納して、運用管理所データ処理装置１へ送信する。運用管理所データ処理装置１の運用管理所サーバ１１は、受信した作業記録データを運用管理メモリ１２へ記憶し、運用管理端末１３に表示する。運用管理端末１３は、表示された作業記録データもとに移動用機器に関する履歴データを更新して、運用管理メモリ１２へ記憶し、使用場所端末Ａ〜Ｄ，３３ａ〜３３ｄからの使用要求に備える。さらに使用場所端末Ａ，３３ａは、作業を終えた移動用機器を、運用管理所データ処理装置１からの配送データにもとづき、保管場所端末Ａ，２３ａの保管場所への返送であれば、作業記録データを保管場所端末Ａ，２３ａへ送信し、返送手続を行う。保管場所端末Ａ，２３ａは、受信した作業記録データをもとに返送された移動用機器を点検し、保管状況データを更新して格納し、且つ更新された保管状況データを運用管理所データ処理装置１へ送信する。また新たな使用場所が、例えば使用場所端末Ｂ，３３ｂの使用場所であれば、使用場所端末Ｂ，３３ｂへ作業記録データを送信し、配送の手続を行う。
【００１９】
保管場所端末Ａ〜Ｄ，２３ａ〜２３ｄは、各保管場所で行われた、移動用機器の定期保守点検と修理の結果をもとに、保管場所サーバ２１により、保管場所メモリ２２に記憶されている保管状況データを更新し、運用管理所データ処理装置１へ送信する。運用管理所データ処理装置１の運用管理所サーバ１１は、受信した保管状況データを運用管理メモリ１２へ記憶し、運用管理端末１３に表示する。運用管理端末１３は、表示された保管状況データもとに移動用機器に関する履歴データを更新して、運用管理メモリ１２へ記憶し、使用場所端末Ａ〜Ｄ，３３ａ〜３３ｄからの使用要求に備える。
【００２０】
運用管理所データ処理装置１の運用管理サーバ１１は、使用場所端末Ａ〜Ｄ，３３ａ〜３３ｄから送信された作業記録データ、および保管場所端末Ａ〜Ｄ，２３ａ〜２３ｄから送信された保管状況データにより更新された移動用機器に関する履歴データをもとに、機器更新計画データを更新し、運用管理所メモリに記憶する。さらに更新された機器更新計画データをもとに、保管場所事業所データ処理装置２に属する保管場所端末Ａ〜Ｄ，２３ａ〜２３ｄの各保管場所、あるいは使用場所事業所データ処理装置３に属する使用場所端末Ａ〜Ｄ，３３ａ〜３３ｄの各使用場所へ、機器の更新指示データを送信し、使用場所端末Ａ〜Ｄ，３３ａ〜３３ｄからの使用要求に備える。
【００２１】
本発明による各データ処理装置の構成は、当該機能を実現する手段であればどのような装置であっても良く、保管場所事業所と使用場所事業所が同一場所であっても良いため、２つの目的のために同一の装置が使用されてもよい。また、所管エリアの規模や地域性により、各端末の統廃合が生じても良い。さらに配送および機器更新の機能を事業所から独立させて設けても良い。データ通信網においては、電力会社の専用回線による通信網であっても、インターネットによる通信網であっても良い。
【００２２】
図３ａ，ｂは、本発明の移動用機器の運用・管理方法の処理の流れを示すフローチャートである。使用場所事業所データ処理装置３の使用場所端末Ａ〜Ｄ，３３ａ〜３３ｄの例えば使用場所端末Ａ，３３ａが、使用場所サーバ３１に、移動用機器の使用要求を、データ通信網４を介して行わせる（ステップ１０）。運用管理所データ処理装置１の運用管理所サーバ１１は、受信した移動機器の使用要求と、運用管理メモリ１２から読み出した使用計画書データおよび移動機器に関する履歴データとに基づいて移動用機器の使用計画データを更新して格納する（ステップ２０）。さらに、更新された使用計画データと移動機器の配送指示データを第２のデータ処理装置２と第３のデータ処理装置３へ送信する（ステップ３０）。
【００２３】
この場合の配送指示データは、使用場所の事業所と保管場所の事業所との間の道路情報を加味して行われる使用計画データの修正結果を反映している。すなわち、使用計画データの修正結果から保管場所ではなく、作業終了直後の使用場所の移動用機器を直接配送する方が良い場合が生じる。従って、配送データの送信先が保管場所事業所か否かの判断をし、配送指示が保管場所の事業所、例えば保管場所端末Ａ２３ａであるとすると、配送指示データは更新された使用計画データと共に、保管場所事業所データ処理装置２の保管場所端末Ａ，２３ａへ送信する（ステップ４０）。送信された各データは、保管場所事業所データ処理装置２の保管場所サーバ２１により、保管場所メモリ２２に記憶されると共に、保管場所端末Ａ,２３ａへ表示される。保管場所端末Ａ,２３ａは、配送される移動用機器の保管状況データを使用場所端末Ａ，３３ａへ送信し、配送の手続きを行う。（ステップ５０）。また配送データの送信先が使用場所の事業所、例えば使用場所端末Ｄ，３３ｄであったとすると、送信された各データは、使用場所事業所データ処理装置３の使用場所サーバ３１により、使用場所メモリ３２に記憶されると共に、使用場所端末Ｄ,３３ｄへ表示される。使用場所端末Ｄ,３３ｄは、配送される移動用機器の作業記録データを使用場所端末Ａ，３３ａへ送信し、配送の手続きを行う（ステップ６０）。
【００２４】
使用場所端末Ａ，３３ａは、保管場所端末Ａ,２３ａから配送された移動用機器を、受信した保管状況データをもとに点検し、結果を保管場所端末Ａ,２３ａへ送信する。移動用機器が、使用場所端末Ｄ,３３ｄから配送された場合も同様に、受信した作業記録データをもとに点検し、結果を使用場所端末Ｄ，３３ｄへ送信する（ステップ７０）。
【００２５】
電力用機器に関する故障、保守、点検または修理のための臨時取替え作業が終了すると、使用場所端末Ａ，３３ａは、作業を実施することで生じた移動用機器の調整あるいは修理内容を含む現状の運用状況データをもとに、作業記録データを作成し、格納して、運用管理所データ処理装置１へ送信する（ステップ９０、ステップ１００）。次に、使用場所端末Ａ，３３ａは、作業を終えた移動用機器を、運用管理所データ処理装置１からの配送データにもとづき、保管場所端末Ａ，２３ａの保管場所への返送であれば、作業記録データを保管場所端末Ａ，２３ａへ送信し、返送手続を行う（ステップ１１０、ステップ１２０）。また新たな使用場所が、例えば使用場所端末Ｂ，３３ｂの使用場所であれば、使用場所端末Ｂ，３３ｂへ作業記録データを送信し、配送手続を行う（ステップ１３０）。保管場所端末Ａ，２３ａは、受信した作業記録データをもとに返送された移動用機器を点検し、保管状況データを更新して格納し、且つ更新された保管状況データを運用管理所データ処理装置１へ送信する（ステップ１４０、ステップ１６０）。
【００２６】
さらに、保管場所端末Ａ〜Ｄ，２３ａ〜２３ｄは、各保管場所で行われた、移動用機器の定期保守点検と修理の結果をもとに、保管場所サーバ２１により、保管場所メモリ２２に記憶されている保管状況データを更新し、運用管理所データ処理装置１へ送信する（ステップ１５０、ステップ１６０）。運用管理所データ処理装置１の運用管理所サーバ１１は、受信したこれらの保管状況データおよび作業記録データを運用管理メモリ１２へ記憶し、運用管理端末１３に表示する。運用管理端末１３は、表示された各データもとに移動用機器に関する履歴データを更新して、運用管理メモリ１２へ記憶し、使用場所端末Ａ〜Ｄ，３３ａ〜３３ｄからの使用要求に備える（ステップ１７０）。また、運用管理メモリ１２へ記憶された移動用機器に関する履歴データは、使用計画データを更新する際、読み出されてステップ２０で使われる。
【００２７】
引き続き、運用管理所データ処理装置１の運用管理所サーバ１１は、運用管理メモリ１２へ記憶された移動用機器に関する履歴データを、機器更新計画データの更新のために使用し、更新が必要か否かを判断する（ステップ１９０、ステップ２００）。更新が必要であれば、機器の更新データを該当する保管場所あるいは使用場所へ送信する（ステップ２１０）。該当する保管場所あるいは使用場所の各端末は、機器の更新の手配をする（ステップ２２０）。終了（ステップ２３０）。
【００２８】
以上説明したように、本発明の移動用機器の運用・管理システムとその方法によれば、電力用機器に関する故障、保守、点検および修理のための臨時取替え作業の進捗状況が常に把握できるため、次の使用要求に対するスケジュールの調整が容易となる。また使用される移動用機器の保守、点検および機器の更新状況を管理し、常に最良の機器性能を維持できるため、使用場所での作業性および安全性の向上を図ることができる。機器の配送においても、最短の場所の機器を利用することが可能となり、配送遅れによる作業スケジュールの変更等を回避することができる。さらに、移動用機器に物流管理用のＩＣタグおよび位置管理用のＧＰＳ装置を組み込むことにより、利便性を高めた運用管理が可能となると共に、誤配送、紛失および盗難を防止することが可能となる。
【図面の簡単な説明】
【００２９】
【図１】本発明の移動用機器の運用・管理システムの構成を示すブロック図である。
【図２】移動用機器の使用計画立案、変更の手続を示す手続ルート図である。
【図３ａ】本発明の移動用機器の運用・管理方法の処理の流れを示すフローチャートである。
【図３ｂ】本発明の移動用機器の運用・管理方法の処理の流れを示すフローチャートである。
【符号の説明】
【００３０】
１    運用管理所データ処理装置
２    保管場所事業所データ処理装置
３    使用場所事業所データ処理装置
４    データ通信網
１１    運用管理所サーバ
１２    運用管理所メモリ
１３    運用管理所端末
２１    保管場所サーバ
２２    保管場所メモリ
２３ａ〜ｄ    保管場所端末Ａ〜Ｄ
３１    使用場所サーバ
３２    使用場所メモリ
３３ａ〜ｄ    使用場所端末Ａ〜Ｄ
【図１】
2005284794.tif 000003
【図２】
2005284794.tif 000004
【図３ａ】
2005284794.tif 000005
【図３ｂ】
2005284794.tif 000006